【手続補正書】
【提出日】平成16年6月10日(2004.6.10)
【手続補正１】
【補正対象書類名】明細書
【補正対象項目名】発明の名称
【補正方法】変更
【補正の内容】
【発明の名称】記録装置、情報処理装置、および記録システム
【手続補正２】
【補正対象書類名】明細書
【補正対象項目名】特許請求の範囲
【補正方法】変更
【補正の内容】
【特許請求の範囲】
【請求項１】
複数種の記録材を選択的に用いることによって、複数種の被記録材に対して画像を記録可能な記録装置において、
画像の記録に用いる前記記録材の種類を判別する判別部と、
前記記録材の種類と前記被記録材の種類との適応関係を記憶した記憶部と、
前記判別部によって判別された前記記録材の種類と前記記憶部の記憶情報とを照合する照合部と、
を備えることを特徴とする記録装置。
【請求項２】
画像の記録に用いる前記被記録材の種類を入力するための入力部を備え、
前記照合部は、前記入力部から入力された前記被記録材の種類と前記判別部によって判別された前記記録材の種類との組合せと、前記記憶部に記憶された適応関係とを照合することを特徴とする請求項１に記載の記録装置。
【請求項３】
前記被記録材がセットされる給送部を備え、
前記入力部は、前記給送部にセットされた前記被記録材の種類を入力するためのものであることを特徴とする請求項２に記載の記録装置。
【請求項４】
画像の記録に用いる前記被記録材の種類を選択するための選択部を備え、
前記照合部は、前記選択部によって選択された前記被記録材の種類と前記判別部によって判別された前記記録材の種類との組合せと、前記記憶部に記憶された適応関係とを照合することを特徴とする請求項１から３のいずれかに記載の記録装置。
【請求項５】
前記被記録材がセットされる給送部を備え、
前記選択部は、前記給送部にセットされた前記被記録材の種類を選択するためのものであることを特徴とする請求項４に記載の記録装置。
【請求項６】
画像の記録に用いることが可能な前記被記録材の種類を表示するための表示部を備えることを特徴とする請求項１から５のいずれかに記載の記録装置。
【請求項７】
前記照合部は、前記判別部によって判別された前記記録材の種類と適応関係にある前記被記録材を表示部に表示させることを特徴とする請求項１から６のいずれかに記載の記録装置。
【請求項８】
前記照合部は、前記判別部によって判別された前記記録材の種類と適応関係にある前記被記録材だけを表示部に表示させ、前記判別部によって判別された前記記録材の種類と適応関係にない前記被記録材は前記表示部に表示させないことを特徴とする請求項１から６のいずれかに記載の記録装置。
【請求項９】
前記照合部は、前記判別部によって判別された前記記録材の種類と前記入力部から入力された前記被記録媒体の種類とが適応関係にないときに警告を発することを特徴とする請求項２から８のいずれかに記載の記録装置。
【請求項１０】
画像の記録に用いることができる前記記録材として、顔料インクと染料インクを含むことを特徴とする請求項１から９のいずれかに記載の記録装置。
【請求項１１】
複数種の記録材を選択的に用いることによって、複数種の被記録材に対して画像を記録可能な記録装置に接続される情報処理装置であって、
前記記録装置が用いる前記記録材の種類を入力するための入力部と、
前記記録材の種類と前記被記録材の種類との適応関係を記憶した記憶部と、
前記入力部から入力された前記記録材の種類と前記記憶部の記憶情報とを照合する照合部と、
を備えることを特徴とする情報処理装置。
【請求項１２】
前記記録装置が用いる前記被記録材の種類を選択するための選択部を備え、
前記照合部は、前記選択部によって選択された前記被記録材の種類と前記入力部から入力された前記記録材の種類との組合せと、前記記憶部に記憶された適応関係とを照合することを特徴とする請求項１１に記載の情報処理装置。
【請求項１３】
前記記録装置において用いることが可能な前記被記録材の種類を表示するための表示部を備えることを特徴とする請求項１１または１２に記載の情報処理装置。
【請求項１４】
前記照合部は、前記入力部から入力された前記記録材の種類と適応関係にある前記被記録材を表示部に表示させることを特徴とする請求項１１から１３のいずれかに記載の情報処理装置。
【請求項１５】
前記照合部は、前記判別部によって判別された前記記録材の種類と適応関係にある前記被記録材だけを表示部に表示させ、前記判別部によって判別された前記記録材の種類と適応関係にない前記被記録材は前記表示部に表示させないことを特徴とする請求項１１から１４のいずれかに記載の情報処理装置。
【請求項１６】
複数種の記録材を選択的に用いることによって複数種の被記録材に対して画像を記録可能な記録装置と、この記録装置に接続される情報処理装置と、を含む記録システムにおいて、
前記記録装置が用いる前記記録材の種類を判別する判別部と、
前記記録材の種類と前記被記録材の種類との適応関係を記憶した記憶部と、
前記判別部によって判別された前記記録材の種類と前記記憶部の記憶情報とを照合する照合部と、
を備えることを特徴とする記録システム。
【請求項１７】
複数種の記録材を選択的に用いて画像を記録する際に、画像が記録される被記録材を複数の種類の中から選定するための被記録材の選定方法であって、
記録に用いる前記記録材の種類を判別し、
画像が記録される前記被記録材を選定するときの参照情報として、少なくとも前記判別された記録材と適応する前記被記録材の種類を表示することを特徴とする被記録材の選定方法。
【請求項１８】
画像が記録される前記被記録媒体として、前記判別された記録材と適応しない種類の前記被記録材が選定されたときに、警告を発することを特徴とする請求項１７に記載の被記録材の選定方法。
【請求項１９】
前記判別された記録材と適応する前記被記録材だけを表示し、前記判別された記録材と適応しない前記被記録材は表示しないことを特徴とする請求項１７または１８に記載の被記録材の選定方法。
【請求項２０】
記録に用いられる前記記録材として、顔料インクと染料インクを含むことを特徴とする請求項１７から１９に記載の被記録材の選定方法。
【請求項２１】
複数種の記録材を選択的に用いて画像を記録する際に、画像が記録される被記録材を複数の種類の中から選定するためのプログラムであって、
記録に用いる前記記録材の種類を判別する工程と、
画像が記録される前記被記録材を選定するときの参照情報として、少なくとも前記判別された記録材と適応する前記被記録材の種類を表示する工程と、
をコンピュータに実行させることを特徴とするプログラム。
【請求項２２】
画像が記録される前記被記録媒体として、前記判別された記録材と適応しない種類の前記被記録材が選定されたときに、警告を発する工程をコンピュータに実行させることを特徴とする請求項２１に記載のプログラム。
【請求項２３】
前記判別された記録材と適応する前記被記録材の種類だけを表示し、前記判別された記録材と適応しない前記被記録材の種類は表示しない工程をコンピュータに実行させることを特徴とする請求項２１または２２に記載のプログラム。
【請求項２４】
請求項２１から２３のいずれかのプログラムが格納された、コンピュータにより読み取り可能な記憶媒体。
【請求項２５】
複数種の記録材を選択的に用いることによって、複数種の被記録材に対して画像を記録可能な記録方法において、
記録に用いる前記記録材の種類を判別する工程と、
画像が記録される前記被記録材を選定するときの参照情報として、少なくとも前記判別された記録材と適応する前記被記録材の種類を表示する工程と、
前記表示された複数の被記録材の種類から１つの被記録材を選定する工程と、
前記判別された記録材を用い、前記選定された被記録材に対して記録を行う工程と、
を有することを特徴とする記録方法。
【手続補正３】
【補正対象書類名】明細書
【補正対象項目名】００１９
【補正方法】変更
【補正の内容】
【００１９】
【課題を解決するための手段】
本発明の記録装置は、 複数種の記録材を選択的に用いることによって、複数種の被記録材に対して画像を記録可能な記録装置において、画像の記録に用いる前記記録材の種類を判別する判別部と、前記記録材の種類と前記被記録材の種類との適応関係を記憶した記憶部と、前記判別部によって判別された前記記録材の種類と前記記憶部の記憶情報とを照合する照合部と、を備えることを特徴とする。
本発明の情報処理装置は、複数種の記録材を選択的に用いることによって、複数種の被記録材に対して画像を記録可能な記録装置に接続される情報処理装置であって、前記記録装置が用いる前記記録材の種類を入力するための入力部と、前記記録材の種類と前記被記録材の種類との適応関係を記憶した記憶部と、前記入力部から入力された前記記録材の種類と前記記憶部の記憶情報とを照合する照合部と、を備えることを特徴とする。
本発明の記録システムは、複数種の記録材を選択的に用いることによって複数種の被記録材に対して画像を記録可能な記録装置と、この記録装置に接続される情報処理装置と、を含む記録システムにおいて、前記記録装置が用いる前記記録材の種類を判別する判別部と、前記記録材の種類と前記被記録材の種類との適応関係を記憶した記憶部と、前記判別部によって判別された前記記録材の種類と前記記憶部の記憶情報とを照合する照合部と、を備えることを特徴とする。
本発明の被記録材の選定方法は、複数種の記録材を選択的に用いて画像を記録する際に、画像が記録される被記録材を複数の種類の中から選定するための被記録材の選定方法であって、記録に用いる前記記録材の種類を判別し、画像が記録される前記被記録材を選定するときの参照情報として、少なくとも前記判別された記録材と適応する前記被記録材の種類を表示することを特徴とする。
本発明のプログラムは、複数種の記録材を選択的に用いて画像を記録する際に、画像が記録される被記録材を複数の種類の中から選定するためのプログラムであって、記録に用いる前記記録材の種類を判別する工程と、画像が記録される前記被記録材を選定するときの参照情報として、少なくとも前記判別された記録材と適応する前記被記録材の種類を表示する工程と、をコンピュータに実行させることを特徴とする。
本発明のコンピュータにより読み取り可能な記憶媒体は、上記のプログラムが格納されたことを特徴とする。
本発明の記録方法は、複数種の記録材を選択的に用いることによって、複数種の被記録材に対して画像を記録可能な記録方法において、記録に用いる前記記録材の種類を判別する工程と、画像が記録される前記被記録材を選定するときの参照情報として、少なくとも前記判別された記録材と適応する前記被記録材の種類を表示する工程と、前記表示された複数の被記録材の種類から１つの被記録材を選定する工程と、前記判別された記録材を用い、前記選定された被記録材に対して記録を行う工程と、を有することを特徴とする。